(57)【要約】【課題】本発明の課題は、冷房能力及び暖房能力の低下や消費電力及び運転コストの増大を招くことなく室内の空気の脱臭を効率よく行って快適な室内環境を実現することができる空気調和機を提供することにある。【解決手段】本発明の空気調和機は、貫流ファン８による送風によって吸込口１３，１４から吹出口１５までの間に形成される通風路の少なくとも一部に配置された光脱臭部材２０と、ケーシング７の外側の光Ｌを、吹出口１５を介して光脱臭部材２０に導くように風向制御部材６に設けられた光反射手段２１と、を備えることを特徴とする。【選択図】図２
2011089733.tif 000002
【特許請求の範囲】
【請求項１】
室内の空気と冷媒との熱交換を行う室内熱交換器と、
前記室内熱交換器を収納するケーシングと、
前記室内熱交換器と共に前記ケーシングの内側に配置されて、前記室内熱交換器が熱交換を行うように前記ケーシングの内側に室内の空気を吸い込み、熱交換を行った空気を前記ケーシングの外側に吹き出すように送風するファンと、
室内の空気を前記ケーシングの内側に吸い込むように前記ケーシングに形成された吸込口と、
熱交換を行った空気を前記ケーシングの外側に吹き出すように前記ケーシングに形成された吹出口と、
前記吹出口に設けられ、前記吹出口から吹き出される空気の吹出し方向を制御する風向制御部材と、
を備える空気調和機であって、
前記ファンによる送風によって前記吸込口から前記吹出口までの間に形成される通風路の少なくとも一部に配置された光脱臭部材と、
前記ケーシングの外側の光を、前記吹出口を介して前記光脱臭部材に導くように前記風向制御部材に設けられた光反射手段と、
を備えることを特徴とする空気調和機。
【請求項２】
請求項１に記載の空気調和機において、
前記ファンは貫流ファンで構成されて前記吹出口に隣接して配置されると共に、熱交換を行った空気を前記吹出口に導くように前記貫流ファンと対向して配置される導風板を更に備え、
前記光脱臭部材は前記導風板の前記貫流ファンとの対向面を被覆するように配置されていることを特徴とする空気調和機。
【請求項３】
請求項１に記載の空気調和機において、
前記光反射手段は、ステンレス板であることを特徴とする空気調和機。
【請求項４】
請求項１に記載の空気調和機において、
前記光脱臭部材は、酸化亜鉛、酸化チタン及びシリカを含むことを特徴とする空気調和機。
【請求項５】
請求項４に記載の空気調和機において、
前記光脱臭部材は、樹脂バインダを更に含む光脱臭樹脂体であることを特徴とする空気調和機。
【請求項６】
請求項１に記載の空気調和機において、
前記室内熱交換器は、側面視で略逆Ｖ字状に屈曲していると共に、前記室内熱交換器の屈曲した後半体の後面と、前記ケーシングの内面とで区画される空間に臨むように脱臭剤部材が配置されることを特徴とする空気調和機。
【発明の詳細な説明】
【技術分野】
【０００１】
本発明は、脱臭機能を有する空気調和機に関する。
【背景技術】
【０００２】
近年の高気密化が進む住宅の室内においては、調理時に発生するアセトアルデヒド、室内飼育のペットに起因するアンモニア、タバコの煙に含まれる酢酸、建材から発生する揮発性有機化合物等の臭気の原因物質が充満し易い。
従来、室内の空気の脱臭機能を有する空気調和機としては、室内機の空気吸込口にコルゲート型の脱臭フィルタを配置した空気調和機（例えば、特許文献１参照）や、室内機内の通風路の壁面に光触媒を担持させると共に、この壁面に紫外線を照射する紫外線ランプを室内機に内蔵した空気調和機（例えば、特許文献２参照）が知られている。
脱臭フィルタを配置した前記空気調和機は、脱臭フィルタを介して室内の空気を室内機内に取り込んで空気調和し、再び室内に吹き出す構成になっており、脱臭フィルタが空気に含まれる臭気の原因物質を吸着することで脱臭する。
また、紫外線ランプを室内機に内蔵した前記空気調和機は、空気に含まれる臭気の原因物質が通風路の壁面に付着した際に、照射された紫外線で励起した光触媒が臭気の原因物質を分解することで脱臭する。
【先行技術文献】
【特許文献】
【０００３】
【特許文献１】特開２００２−７１１５４号公報
【特許文献２】特開２０００−３２０８５４号公報
【発明の概要】
【発明が解決しようとする課題】
【０００４】
しかしながら、脱臭フィルタを配置した前記空気調和機（例えば、特許文献１参照）においては、脱臭フィルタを介して室内の空気を室内機内に取り込む際に圧力損失を生じる。したがって、この空気調和機は、脱臭フィルタがないものと比較して通風量が低下するために、熱交換効率が低下して冷房能力や暖房能力が低下する。
また、紫外線ランプを室内機に内蔵した前記空気調和機（例えば、特許文献２参照）においては、臭気の原因物質を分解するために紫外線を照射する必要があるので、紫外線ランプがないものと比較して消費電力が増大して運転コストが嵩むこととなる。
【０００５】
そこで、本発明の課題は、室内の空気の脱臭を効率よく行って快適な室内環境を実現することができる空気調和機を提供することにある。
【課題を解決するための手段】
【０００６】
前記課題を解決する本発明は、室内の空気と冷媒との熱交換を行う室内熱交換器と、前記室内熱交換器を収納するケーシングと、前記室内熱交換器と共に前記ケーシングの内側に配置されて、前記室内熱交換器が熱交換を行うように前記ケーシングの内側に室内の空気を吸い込み、熱交換を行った空気を前記ケーシングの外側に吹き出すように送風するファンと、室内の空気を前記ケーシングの内側に吸い込むように前記ケーシングに形成された吸込口と、熱交換を行った空気を前記ケーシングの外側に吹き出すように前記ケーシングに形成された吹出口と、前記吹出口に設けられ、前記吹出口から吹き出される空気の吹出し方向を制御する風向制御部材と、を備える空気調和機であって、前記ファンによる送風によって前記吸込口から前記吹出口までの間に形成される通風路の少なくとも一部に配置された光脱臭部材と、前記ケーシングの外側の光を、前記吹出口を介して前記光脱臭部材に導くように前記風向制御部材に設けられた光反射手段と、を備えることを特徴とする。
【発明の効果】
【０００７】
本発明によれば、室内の空気の脱臭を効率よく行って快適な室内環境を実現する空気調和機を提供することができる。
【図面の簡単な説明】
【０００８】
【図１】実施形態に係る空気調和機を示す全体斜視図である。
【図２】図１におけるII−II断面を模式的に示す断面図である。
【図３】図１の空気調和機における室内機から前面パネル、フィルタ、及び貫流フィルタを取り外した様子を示す斜視図である。
【図４】図２の室内機に使用する光脱臭部材の脱臭性能試験の結果を示すグラフであり、縦軸にホルムアルデヒド残存率（％）を示し、横軸に経過時間（分）を示している。
【図５】図２の室内機に使用する光脱臭部材の脱臭性能試験の結果を示すグラフであり、縦軸にホルムアルデヒドの分解物である二酸化炭素転化率（％）を示し、横軸に経過時間（分）を示している。
【発明を実施するための形態】
【０００９】
次に、本発明の実施形態の空気調和機について適宜図面を参照しながら詳細に説明する。まず、本実施形態に係る空気調和機の全体構成について説明した後に、脱臭機能を有する室内機について詳しく説明する。
【００１０】
図１に示すように、空気調和機１は、屋外に配置される室外機２と、室内に配置される室内機３と、室外機２と室内機３とを接続する配管４ａ，４ｂとを備えている。
この空気調和機１は、室外機２と室内機３とが配管４ａ，４ｂで繋がれて、室外機２と室内機３との間を冷媒が循環するように環状の回路が形成されたヒートポンプ式のものである。
【００１１】
ちなみに、暖房運転時の空気調和機１においては、室外機２の圧縮機（図示省略）が吐出する高温高圧の冷媒（ホットガス）を、四方弁（図示省略）を介して配管４ａに送り出すようになっている。そして、この冷媒は、配管４ａを介して凝縮器として機能する室内機３の後記する室内熱交換器６（図２参照）に送り込まれて室内の空気と熱交換を行う。この熱交換によって室内の空気を温めた冷媒は、配管４ｂを介して室外機２の減圧器（図示省略）、次いで蒸発器として機能する室外熱交換器（図示省略）に送り込まれて外気から熱を汲み上げる。その後、前記した圧縮機に冷媒が戻され、再び圧縮される一連のサイクルがこの暖房運転で繰り返される。
【００１２】
また、冷房運転時の空気調和機１においては、室外機２の前記した四方弁が切り替えられて、圧縮機が吐出する高温高圧の冷媒は、この場面では凝縮器として機能する室外機２の前記した室外熱交換器に送り込まれて外気に放熱した後に、前記した減圧器によって低温低圧の冷媒となる。なお、前記した四方弁の切替は、リモートコントローラ１０からの操作信号に応じて後記する室内機３の制御部が配線５を介して行うようになっている。
【００１３】
前記した減圧器によって低温低圧となった冷媒は、配管４ｂを介して、この場面では蒸発器として機能する室内機３の後記する室内熱交換器６（図２参照）に送り込まれて室内の空気と熱交換を行う。この熱交換によって室内の空気は冷却される。その後、配管４ａを介して室外機２の前記した圧縮機に戻され、再び圧縮される一連のサイクルがこの冷房運転で繰り返される。
【００１４】
次に、室内機３について更に詳しく説明する。
室内機３は、図２に示すように、ケーシング７の内側に室内熱交換器６と、貫流ファン８と、スクロール部９とを備えている。なお、スクロール部９は、特許請求の範囲にいう「導風板」に相当する。
【００１５】
また、室内機３は、ケーシング７の内側の図示しない電装品ボックス内に制御部を備えている。ちなみに、この制御部は、室内温度センサ、室内湿度センサ等の各種のセンサからの信号に基づいて室内機３を統括して制御すると共に、前記したリモートコントローラ１０（図１参照）が発信した赤外線の操作信号を室内機３の受光部１１（図１参照）が受信することで、室外機２（図１参照）との通信を行いながら、温湿度の調節、暖房運転又は冷房運転の切替（前記した四方弁の切替）、貫流ファン８及び後記する風向制御部材１２の駆動制御、並びに後記する前面パネル７ａの開閉制御を行うように構成されている。
【００１６】
ケーシング７は、図１に示すように、その外形が略直方体を呈しており、上下左右の面を形成する化粧枠７ｂと、化粧枠７ｂの前側に配置される前面パネル７ａとを備えている。また、本実施形態でのケーシング７は、図２に示すように、化粧枠７ｂの後側に配置される後面パネル７ｃを更に備えている。
【００１７】
ケーシング７は、図２に示すように、化粧枠７ｂの上面に形成される第１吸込口１３と、後記するように前面パネル７ａが回動した際に開かれる第２吸込口１４（図１中、仮想線で示す）とを備えている。室内の空気Ａは、これらの第１吸込口１３及び第２吸込口１４を介してケーシング７の内側に吸い込まれることとなる。
【００１８】
第１吸込口１３は、ケーシング７の左右の幅方向（図１参照）に長い略長方形状に開口するように形成されており、この第１吸込口１３には、この第１吸込口１３と略同じ形状を有する樹脂繊維の網体からなるフィルタ１６が嵌め込まれている。
【００１９】
このフィルタ１６は、網体のメッシュ開口率が５５％以上に設定されており、室内の空気Ａをケーシング７の内側に吸い込む際の圧力損失で不必要な負荷が空気調和機１（図１参照）に掛からない構成となっている。
【００２０】
第２吸込口１４は、左右の幅方向（図１参照）に長い略長方形状に開口するように形成されており、この第２吸込口１４には、この第２吸込口１４と略同じ形状を有する樹脂繊維の網体からなるフィルタ１６が嵌め込まれている。このフィルタ１６には、第１吸込口１３のフィルタ１６と同様のものを使用することができる。
【００２１】
第２吸込口１４は、空気調和機１（図１参照）の運転停止時及び暖房運転時には前面パネル７ａで塞がれている。そして、空気調和機１の冷房運転時においては、図２に示すように、前面パネル７ａがその下端縁を軸に前方に回動することで第２吸込口１４は開かれることとなる。
【００２２】
なお、前面パネル７ａの回動は、前面パネル７ａの下端縁の左右両側に設けられたパルスモータ等のアクチュエータ（図示省略）を前記した制御部が駆動制御することによって行われる。ちなみに、冷房運転時に、第２吸込口１４からも室内の空気Ａをケーシング７の内側に吸い込むことによって、後記する貫流ファン８の前側に位置する室内熱交換器６部分での熱交換が促進される。つまり、図示しない除湿絞り弁によって、低温となる前側の室内熱交換器６部分で室内の空気Ａが冷却される。
【００２３】
また、ケーシング７は、図２に示すように、化粧枠７ｂの下面に形成される吹出口１５（図１中、仮想線で示す）を更に備えている。この吹出口１５は、ケーシング７の左右の幅方向（図１参照）に長い略長方形状に開口するように形成されている。この吹出口１５によって、熱交換を行った空気Ａがケーシング７の外側である室内に吹き出されることとなる。
【００２４】
この吹出口１５には、図２に示すように、風向制御部材１２としての上下風向制御板１２ａが配置されている。
この上下風向制御板１２ａは、図２に示す軸２５周りに回動することで、吹出口１５から室内に吹き出される空気Ａ（風）の上下の方向を制御するようになっている。この上下風向制御板１２ａの回動は、軸２５に設けられたパルスモータ等のアクチュエータ（図示省略）を前記した制御部が駆動制御することによって行われる。この際、上下風向制御板１２ａの回動角度は所定の角度となるように、又は回動角度が連続的に変化するように（揺動するように）、制御部によって駆動制御される。ちなみに、運転停止時の空気調和機１においては、図１に示すように、上下風向制御板１２ａは吹出口１５を閉じている。
なお、本実施形態での上下風向制御板１２ａの平面形状は、吹出口１５の開口形状に合わせて長細い略長方形状に形成されている。
【００２５】
また、吹出口１５には、図２に示すように、左右風向制御板１２ｂが配置されている。この左右風向制御板１２ｂは、図示しないが、吹出口１５の左右の幅方向（図１参照）に沿って複数配置され、その各板面が相互に向き合って可動ルーバーを構成している。そして、複数の左右風向制御板１２ｂは、一体にそれらの板面の向き（角度）が所定の角度となるように、又は板面の向き（角度）が連続的に変化するように、言い換えれば、左右風向制御板１２ｂが吹出口１５の左右の幅方向（図１参照）に揺動するようになっている。このような左右風向制御板１２ｂの駆動は、パルスモータ等のアクチュエータ（図示省略）と、これに連結されるリンク機構とによって行われ、この駆動制御は、前記した制御部が行うようになっている。このことによって、左右風向制御板１２ｂは、吹出口１５から室内に吹き出される空気Ａ（風）の左右の方向を制御するようになっている。
【００２６】
室内熱交換器６は、図２に示すように、貫流ファン８の第１吸込口１３側及び第２吸込口１４側に位置するように、側面視で略逆Ｖ字状に屈曲して、その屈曲部を境にして前半体６ａと後半体６ｂとで形成されている。
【００２７】
この室内熱交換器６は、図示しないが、冷媒が通流する冷媒配管と、この冷媒配管に取り付けられた複数の放熱フィンとで形成されている。そして、冷媒配管の冷媒入口（又は冷媒出口）に配管４ａ（図１参照）の他端が接続され、冷媒配管の冷媒出口（又は冷媒入口）に配管４ｂ（図１参照）の他端が接続されている。
【００２８】
このような室内熱交換器６の前後両端の下方には、露受皿１８，１８がそれぞれ配置されており、冷房運転時や除湿運転時に室内熱交換器６に発生した凝縮水を受けるようになっている。この露受皿１８で受けた凝縮水は、図示しないドレン配管を介して室外に排出される。
【００２９】
貫流ファン８は、略円筒形状のファンであって、細長い複数の羽根の翼面が円筒の周方向に並ぶように配置されている。この貫流ファン８は、ケーシング７の吹出口１５の左右の幅（図１参照）と略同じ長さであり、貫流ファン８の周面の一部がケーシング７の吹出口１５に隣接して配置されている。
【００３０】
この貫流ファン８は、図示しないファンモータによって、円筒中心周りに回転することで、室内の空気Ａを、第１吸込口１３及び第２吸込口１４（又は第１吸込口１３）を介してケーシング７の内側に吸い込むと共に、吸い込んだ空気Ａをケーシング７の吹出口１５を介してケーシング７の外側に吹き出すようになっている。つまり、この貫流ファン８は、室内の空気Ａをケーシング７の内側に吸い込んで室内熱交換器６の冷媒と熱交換を行わせ、熱交換した空気Ａをケーシング７の外側である室内に吹き出すようになっている。ちなみに、前記したファンモータによる貫流ファン８の駆動及び停止は、前記した制御部によって行われる。
【００３１】
本実施形態でのスクロール部９（導風板）は、室内熱交換器６の下方であって、貫流ファン８の後側に配置され、貫流ファン８に対して凹となって対向する湾曲した板状部材で構成されている。
【００３２】
このスクロール部９は、ケーシング７の内側の後方に設けられた露受皿１８にその後端縁が接続されると共に、その前端縁がケーシング７の吹出口１５の下端を構成している。
そして、スクロール部９と貫流ファン８との隔たりは、スクロール部９が湾曲することで、その後端縁から前端縁に向かうに従って徐々に広がっている。
つまり、このスクロール部９は、貫流ファン８が熱交換後の空気Ａを吹出口１５に向かって送る際に、気流を安定させると共に、後記するように、スクロール部９に設けた光脱臭部材２０に吹出口１５を介しての外光Ｌが届き易いようになっている。
【００３３】
このような本実施形態に係る室内機３は、ケーシング７の内側に配置した光脱臭部材２０と、この光脱臭部材２０にケーシング７の外側の光Ｌ（外光Ｌ）を導く光反射手段２１とを更に備えている。
【００３４】
光脱臭部材２０は、光脱臭剤を含むものであれば、材質は特に制限がない。
光脱臭剤としては、光の照射によって励起する酸化チタン、酸化亜鉛等の光触媒と、シリカ、活性炭、ゼオライト等の吸着性担体とを含むものが望ましい。光触媒と吸着性担体とは、それぞれ単独でも複数種を組み合わせて使用してもよく、酸化チタン、酸化亜鉛及びシリカの混合物からなる光脱臭剤が最も望ましい。光触媒と吸着性担体との配合率は光脱臭に係る分野で通常採用される範囲で構わない。
【００３５】
また、光脱臭部材としては、光脱臭剤と、ポリエステル等の熱可塑性樹脂からなる樹脂バインダとを含む光脱臭樹脂体が更に望ましい。このような樹脂バインダを含む光脱臭部材（光脱臭樹脂体）は、耐久性、成形性等に優れる。ちなみに、樹脂バインダを含む光脱臭部材としては、光脱臭剤の配合率が１質量％〜５質量％のものが望ましく、３質量％〜５質量％のものが更に望ましい。
【００３６】
光脱臭部材の形状は、特に制限はなく、支持材に塗布した塗膜、成形した板体、立体成形体のいずれであってもよい。
このような光脱臭部材２０は、貫流ファン８による送風によって、第１吸込口１３又は第２吸込口１４から吹出口１５までの間に形成される通風路の少なくとも一部に配置される。具体的には、光脱臭部材２０は、後記する光反射手段２１によって外光Ｌが導かれる範囲に配置される。
【００３７】
本実施形態での光脱臭部材２０は、図２に示すように、スクロール部９（導風板）の貫流ファン８との対向面を被覆するように配置された板状の光脱臭樹脂体で構成されている。そして、光脱臭部材２０は、図３に示すように、スクロール部９の略全面に亘って配置されている。
【００３８】
光反射手段２１は、図２に示すように、ケーシング７の外側の光Ｌ（外光Ｌ）をケーシング７の吹出口１５を介して光脱臭部材２０に導くものである。なお、ここでの外光Ｌとしては、例えば室内灯の光及び室外から差し込む自然光又は人工光を意味し、本実施形態に係る空気調和機１のためだけに使用される光源からの光を除く。
【００３９】
この光反射手段２１は、風向制御部材１２に設けられたものであり、本実施形態での光反射手段は、上下風向制御板１２ａ及び左右風向制御板１２ｂの板面に張り付けられたステンレス板で構成されている。この光反射手段２１は、光脱臭部材２０の光脱臭剤を励起する光量で外光Ｌを導くことができればよく、その反射光は散乱光であってもよい。したがって、光反射手段２１は、その表面が必ずしも鏡面仕上げでなくてもよく、金属箔、金属メッキ、金属光沢の塗膜で構成することができる。
また、光反射手段２１は、上下風向制御板１２ａ及び左右風向制御板１２ｂのいずれか一方にのみ設けることもできる。
【００４０】
そして、本実施形態での室内機３は、図２及び図３に示すように、スクロール部９の上方であって、ケーシング７の後面パネル７ｃの内側に脱臭剤部材２４が更に配置されている。この脱臭剤部材２４は、脱臭剤を含有する板状部材であって、図３に示すように、左右の幅方向がスクロール部９に設けられた光脱臭部材２０と略同じ幅で配置されている。
したがって、この脱臭剤部材２４は、図２に示すように、略逆Ｖ字状に屈曲した室内熱交換器６の後半体６ｂの後面と、ケーシング７の内面とで区画される空間に臨むように配置されることとなる。
【００４１】
この脱臭剤部材２４は、活性炭、ゼオライト等の多孔質材を担持する樹脂製シート部材で構成することができ、ケーシング７の内面に取替え可能に張り付けられている。なお、脱臭剤部材２４に対して第１吸込口１３から外光が照射可能であれば、この脱臭剤部材２４は、前記した光脱臭部材２０と同様の構成にすることができる。
【００４２】
次に、本実施形態に係る空気調和機１の作用効果について説明する。
空気調和機１は、図２に示すように、上下風向制御板１２ａが回動して吹出口１５が開くと共に、貫流ファン８が回転することで、第１吸込口１３及び第２吸込口１４を介してケーシング７の内側に吸い込まれた室内の空気Ａは、室内熱交換器６の冷媒と熱交換を行った後に、スクロール部９に沿って流れて室内に吹き出される。
そして、空気Ａに含まれる臭気の原因物質は、空気Ａよりも質量が大きい場合が多く、空気Ａがスクロール部９に沿って流れる際の遠心力によって光脱臭部材２０に衝突する。
【００４３】
このことによって、室内の空気Ａに含まれる臭気の原因物質は、スクロール部９に設けた光脱臭部材２０に付着する。ちなみに、光脱臭部材２０に前記したシリカ等の吸着性担体を含む場合には、臭気の原因物質は吸着性担体に吸着される。
【００４４】
そして、光脱臭部材２０には、図２に示すように、風向制御部材１２に設けられた光反射手段２１によって外光Ｌが照射される。その結果、励起した光脱臭部材２０の光脱臭剤が、光脱臭部材２０に付着した、又は吸着した臭気の原因物質を分解する。
【００４５】
このような本実施形態に係る空気調和機１によれば、従来の紫外線ランプを室内機に内蔵した前記空気調和機（例えば、特許文献２参照）と異なって、臭気の原因物質を分解するために紫外線を照射する光源を必要としない。
【００４６】
また、本実施形態に係る空気調和機１によれば、従来のコルゲート式の脱臭フィルタを配置した前記空気調和機（例えば、特許文献１参照）と異なって、防臭フィルタを用いずに空気の脱臭を行うので、防臭フィルタによる圧力損失を生じることがない。
したがって、本実施形態に係る空気調和機１によれば、従来の空気調和機と異なって、防臭フィルタによる圧力損失を生じることがなく、臭気の原因物質を分解するために紫外線ランプ等によって紫外線を照射する必要もないので、冷房能力及び暖房能力の低下や消費電力及び運転コストの増大を招くことなく室内の空気の脱臭を効率よく行って、快適な室内環境を実現することができる。
【００４７】
また、本実施形態に係る空気調和機１によれば、光反射手段２１を風向制御部材１２に設けているので、風向制御部材１２を駆動することで外光Ｌのケーシング７の内側への反射角度を可変にすることができる。その結果、光脱臭部材２０に対する外光Ｌの照射範囲を広くすることができる。
【００４８】
また、本実施形態に係る空気調和機１によれば、例えば、臭気の原因物質を吸着することのみによって室内の空気の脱臭を行うものと異なって、光によって臭気の原因物質を分解するので、臭気の原因物質の吸着量が限界となる吸着破過によって脱臭能力が制限されることがない。
【００４９】
また、本実施形態に係る空気調和機１によれば、従来の空気調和機と異なって、臭気の原因物質を分解するために紫外線ランプ等によって紫外線を照射する必要がないので、紫外線によって室内機３の内部を構成する樹脂部品が劣化することもない。
【００５０】
また、本実施形態に係る空気調和機１は、室内熱交換器６の後半体６ｂと、ケーシング７の内面とで区画される空間に臨むように脱臭剤部材２４が配置されている。一般に、この空間には、取り込んだ空気が澱み易い。つまり、この空間に入り込んだ臭気の原因物質は、除去され難いところ、本実施形態に係る空気調和機１によれば、この空間に入り込んだ臭気の原因物質を脱臭剤部材２４が除去するので、より効果的に室内の空気の脱臭を行うことができる。
【００５１】
以上、本発明の実施形態について説明したが、本発明は前記実施形態に限定されず、種々の形態で実施することができる。
前記実施形態では、板状の光脱臭部材２０をスクロール部９の表面に設けたが、本発明はスクロール部９と貫流ファン８との間に形成される空間の適所に、例えばハニカム状に成形された光脱臭部材２０を配置してもよい。
【００５２】
また、前記実施形態では、スクロール部９に光脱臭部材２０を別体で取り付けているが、スクロール部９自体を光脱臭部材２０（光脱臭樹脂体）で形成してもよい。
【００５３】
また、前記実施形態では、光脱臭部材２０をスクロール部９の表面に設けたが、本発明はスクロール部９以外の他の通風路の壁面に光脱臭部材２０を設けてもよい。
【００５４】
また、光脱臭部材２０は貫流ファン８に設けてもよく、例えば、貫流ファン８の羽根を光脱臭部材２０（光脱臭樹脂体）で形成してもよい。
【００５５】
次に、本実施形態での室内機３に使用した光脱臭部材２０の脱臭性能を確認した実験例について説明する。
（実験例１）
この実験例では、１００ｍｍ×１００ｍｍ×１ｍｍの板状の光脱臭部材からなる試験片を用意した。この光脱臭部材は、ポリスチレンに光脱臭剤を配合して調整した。光脱臭部材中の光脱臭剤の配合率は１質量％とした。なお、光脱臭剤としては、酸化チタン、酸化亜鉛及びシリカからなり、光脱臭剤として使用される通常範囲でこれらを配合したものが使用された。
次に、３種類の光脱臭部材のそれぞれについて、次のような脱臭性能試験を行った。
この脱臭性能試験では、光脱臭部材からなる試験片を封入したフッ化ビニルフィルムからなるバッグ内にホルムアルデヒドを注入し、所定の経過時間１０分後、２０分後、及び３０分後におけるホルムアルデヒド残存率（％）を求めた。その結果を図４のグラフに示す。
なお、この脱臭性能試験は、通常の室内灯（蛍光灯）を灯火した室内で行った。
【００５６】
（実験例２）
この実験例では、光脱臭剤の配合率が３質量％の光脱臭部材を使用した以外は、実験例１と同様に、ホルムアルデヒド残存率（％）を求めた。その結果を図４のグラフに示す。
【００５７】
（実験例３）
この実験例では、光脱臭剤の配合率が５質量％の光脱臭部材を使用した以外は、実験例１と同様に、ホルムアルデヒド残存率（％）を求めた。その結果を図４のグラフに示す。
【００５８】
（比較例１）
この比較例では、光脱臭剤の配合率が０質量％のポリスチレンからなる試験片を使用した以外は、実験例１と同様に、ホルムアルデヒド残存率（％）を求めた。その結果を図４のグラフに示す。
【００５９】
（実験例４）
この実験例では、実験例２の試験片を封入したフッ化ビニルフィルムからなるバッグ内にホルムアルデヒドを注入し、ホルムアルデヒドの分解成分である二酸化炭素濃度を、所定の経過時間１０分後、２０分後、及び３０分後に測定することで、ホルムアルデヒドの二酸化炭素転化率（％）を求めた。その結果を図５のグラフに示す。
なお、この脱臭性能試験は、通常の室内灯（蛍光灯）を灯火した室内で行った。
【００６０】
（実験例５）
この実験例では、実験例２の試験片と、同じ大きさのステンレス板とをフッ化ビニルフィルムからなるバッグ内に対向させて配置した以外は、実験例４と同様に、ホルムアルデヒドの二酸化炭素転化率（％）を求めた。その結果を図５のグラフに示す。
【００６１】
（脱臭性能の評価）
図４に示すように、光脱臭剤を含まない比較例１のポリスチレンからなる試験片は、殆ど脱臭性能が無いのに対して、光脱臭剤を１質量％〜５質量％を含む実験例１から実験例３の光脱臭部材は、３０分後に少なくとも８０％のホルムアルデヒドを除去しており、優れた脱臭性能を有することが確認された。
【００６２】
また、図５に示すように、ステンレス板と光脱臭部材の試験片とを対向させた実験例５では、光脱臭部材だけの実験例４と比較して、３０分後の二酸化炭素転化率が約１０％程度多くなっており、ステンレス板を光脱臭部材の試験片に対向させたことによって、ホルムアルデヒドの分解が促進されたことが確認された。
【符号の説明】
【００６３】
１      空気調和機
２      室外機
３      室内機
６      室内熱交換器
７      ケーシング
８      貫流ファン
９      スクロール部（導風板）
１２    風向制御部材
１２ａ  上下風向制御板
１２ｂ  左右風向制御板
１３    第１吸込口
１４    第２吸込口
１５    吹出口
２０    光脱臭部材
２１    光反射手段
２４    脱臭剤部材
【図１】
2011089733.tif 000003
【図２】
2011089733.tif 000004
【図３】
2011089733.tif 000005
【図４】
2011089733.tif 000006
【図５】
2011089733.tif 000007